(57)【要約】【課題】容器本体から蓋体が外されにくく、部品の追加なしで見栄えの低下を抑えた蓋体の取付構造を提供すること。【解決手段】爪部２３が溝１４に嵌合され、ネジ４０が切欠き部２４を通してネジ取付穴１５に螺合された状態において、蓋体２０を爪部２３が溝１４に嵌合する方向にさらに回転したとき、切欠き部２４の切込み２４０がネジ４０のネジ頭４１を通過することにより蓋体２０の天板部２１がネジ３０を覆い隠し、蓋体２０を開放する方向に回転したとき、切欠き部２４の切込み２４０とは反対側の端部２４１がネジ頭４１に当たり、爪部２３の溝１４への嵌合が維持される。【選択図】図１
0003189037.tif 000002
【実用新案登録請求の範囲】
【請求項１】
蓋体の取付構造であって、
開口部を有する円筒状の容器本体と、
前記開口部を閉塞する円形状の蓋体とを備え、
前記容器本体が、前記開口部を形成する壁部の上端内側から下がった位置に設けられた棚部と、前記壁部の内側と前記棚部との境界に設けられた溝と、前記溝に対して前記蓋体を開放する回転方向側の近傍に設けられたネジ取付穴とを有し、
前記蓋体が、前記蓋体の天板部の周縁に設けられ前記棚部に当接する垂下部と、前記垂下部に設けられ前記溝に嵌合する爪部と、前記爪部の近傍に前記天板部から前記垂下部にかけて設けられ側面視において前記蓋体を開放する回転方向に延在する切込みをもつ切欠き部とを有し、
前記爪部が前記溝に嵌合され、ネジが前記切欠き部を通して前記ネジ取付穴に螺合された状態において、
前記蓋体を前記爪部が前記溝に嵌合する方向にさらに回転したとき、前記切欠き部の前記切込みが前記ネジのネジ頭を通過することにより前記蓋体の前記天板部がネジを覆い隠し、
前記蓋体を開放する方向に回転したとき、前記切欠き部の前記切込みとは反対側の端部が前記ネジ頭に当たり、前記爪部の前記溝への嵌合が維持される
ことを特徴とする蓋体の取付構造。
【請求項２】
前記爪部及び前記溝が４つ設けられ、前記切欠き部を前記ネジ取付穴の位置に位置決めするのに適合した大きさをそれぞれ有する
ことを特徴とする請求項１に記載の蓋体の取付構造。
【請求項３】
前記ネジ取付穴が、前記切欠き部を前記溝のいずれの位置の近傍に来ても前記ネジ取付穴の位置に位置決め可能なように、４つ設けられている
ことを特徴とする請求項２に記載の蓋体の取付構造。
【考案の詳細な説明】
【技術分野】
【０００１】
本考案は、容器本体への蓋体の取付構造に関する。
【背景技術】
【０００２】
容器本体への蓋体の取付構造として、ネジ止めを用いる構造が広く知られている。また、カバーに設けた係合片を本体に設けた係合溝にスライドして挿入し、カバーを本体に取り付ける取付構造が知られている（例えば、特許文献１参照）。
【先行技術文献】
【特許文献】
【０００３】
【特許文献１】特開平８−１３８１６７号公報
【考案の概要】
【考案が解決しようとする課題】
【０００４】
本考案は、容器本体から蓋体が外されにくく、部品の追加なしで見栄えの低下を抑えた蓋体の取付構造を提供することを目的とする。
【課題を解決するための手段】
【０００５】
（１）本考案に係る態様は、蓋体の取付構造であって、開口部を有する円筒状の容器本体と、開口部を閉塞する円形状の蓋体とを備え、容器本体が、開口部を形成する壁部の上端内側から下がった位置に設けられた棚部と、壁部の内側と棚部との境界に設けられた溝と、溝に対して蓋体を開放する回転方向側の近傍に設けられたネジ取付穴とを有し、蓋体が、蓋体の天板部の周縁に設けられ棚部に当接する垂下部と、垂下部に設けられ溝に嵌合する爪部と、爪部の近傍に天板部から垂下部にかけて設けられ側面視において蓋体を開放する回転方向に延在する切込みをもつ切欠き部とを有し、爪部が溝に嵌合され、ネジが切欠き部を通してネジ取付穴に螺合された状態において、蓋体を爪部が溝に嵌合する方向にさらに回転したとき、切欠き部の切込みがネジのネジ頭を通過することにより蓋体の天板部がネジを覆い隠し、蓋体を開放する方向に回転したとき、切欠き部の切込みとは反対側の端部がネジ頭に当たり、爪部の溝への嵌合が維持される蓋体の取付構造を提供する。
（２）爪部及び溝が、上記（１）に記載の蓋体の取付構造において、４つ設けられ、切欠き部をネジ取付穴の位置に位置決めするのに適合した大きさをそれぞれ有していてもよい。
（３）ネジ取付穴が、上記（２）に記載の蓋体の取付構造において、切欠き部を溝のいずれの位置の近傍に来てもネジ取付穴の位置に位置決め可能なように、４つ設けられていてもよい。
【考案の効果】
【０００６】
本考案によれば、容器本体から蓋体が外されにくく、部品の追加なしで見栄えの低下を抑えた蓋体の取付構造を提供できる。
【図面の簡単な説明】
【０００７】
【図１】本考案の実施形態に係る警報器を示す分解斜視図である。
【図２】（ａ）は蓋体の平面図、（ｂ）は蓋体の側面図である。
【図３】（ａ）は蓋体を容器本体に挿入した状態を示す平面図、（ｂ）は（ａ）の状態におけるネジ取付穴付近の側面図である。
【図４】（ａ）はネジが切欠き部を通してネジ取付穴に螺合された状態を示す平面図、（ｂ）は（ａ）の状態におけるネジ取付穴付近の側面図である。
【図５】（ａ）は蓋体を爪部が溝に嵌合する方向にさらに回転した状態を示す平面図、（ｂ）は（ａ）の状態におけるネジ取付穴付近の側面図である。
【考案を実施するための形態】
【０００８】
以下、本考案の実施形態に係る蓋体の取付構造を、警報器１を例に添付図面に基づき詳細に説明する。
【０００９】
図１において、警報器１は、容器本体１０と蓋体２０とを備え、容器本体１０への蓋体２０の取付構造を有している。警報器１は、容器本体１０が天井、壁等に取り付けられる。また、容器本体１０には、図示しない回路基板、電源、センサ等が収められる。例えば、温度センサ、煙センサ、人感センサ等により検知した値が警報を発する値になったとき、音、光等で周囲の者に知らせる。実施形態では点滅する発光素子３０が設けられている。センサは、警報器１とは別に必要な場所に設けられていてもよい。
【００１０】
蓋体２０の取付構造は、開口部１１を有する円筒状の容器本体１０と、開口部１１を閉塞する円形状の蓋体２０とを備えている。蓋体２０を容器本体１０の開口部１１に挿入して回転させることで、蓋体２０が開口部１１を閉塞する。
【００１１】
容器本体１０は、開口部１１を形成する壁部１２の上端内側から下がった位置に設けられた棚部１３と、壁部１２の内側と棚部１３との境界に設けられた溝１４と、溝１４に対して蓋体２０を開放する回転方向側の近傍に設けられたネジ取付穴１５とを有している。
【００１２】
開口部１１は、壁部１２によって円筒状に形成されている。ここで、開口部１１は、壁部１２の上端内側から棚部１３まで形成されている。
【００１３】
壁部１２の内側と棚部１３との境界には、壁部１２の内側に沿って等間隔に溝１４が４つ設けられている。また、壁部１２の内側には、壁部１２の上端内側から棚部１３との境界に向かって、溝１４に連続する溝１４０が設けられている。
【００１４】
ネジ取付穴１５は、溝１４および溝１４０の一つに対して、１か所設けられている。ネジ取付穴１５は、溝１４０に対して溝１４の反対側で、溝１４の近傍の棚部１３に形成されている。
【００１５】
図１及び図２において、蓋体２０は、蓋体２０の天板部２１の周縁に設けられ棚部１３に当接する垂下部２２と、垂下部２２に設けられ溝１４に嵌合する爪部２３と、爪部２３の近傍に天板部２１から垂下部２２にかけて設けられ側面視において蓋体２０を開放する回転方向に延在する切込み２４０をもつ切欠き部２４とを有している。
【００１６】
爪部２３は、垂下部２２の天板部２１とは反対側の外側外周に沿って等間隔に４つ設けられている。垂下部２２は、蓋体２０の４つの爪部２３を容器本体１０の４つの溝１４０に合わせて、容器本体１０の開口部１１に挿入した際に、棚部１３に当接する。ここで、爪部２３の大きさは、溝１４０に入って溝１４でスライドできる大きさに形成されている。この状態で、蓋体２０を爪部２３が溝１４に向かう方向に回転させると、爪部２３が溝１４に嵌合する。
【００１７】
蓋体２０は、溝１４から爪部２３が外れる方向に回転させると開放される。切り込み２４０は、垂下部２２に、蓋体２０を開放する回転方向に延在して形成されている。
【００１８】
図３（ａ）及び図３（ｂ）、図４（ａ）及び図４（ｂ）、図５（ａ）及び図５（ｂ）の図中には、切欠き部２４、溝１４及び溝１４０付近の拡大図を必要に応じて示している。また、図３（ａ）、図４（ａ）、図５（ａ）には、爪部２３が溝１４に嵌合する方向を、図４（ｂ）には、ネジ４０が切欠き部２４を通る方向を実線太矢印で示した。
【００１９】
図３（ａ）及び図３（ｂ）は、蓋体２０が、蓋体２０の４つの爪部２３を容器本体１０の４つの溝１４０に合わせて容器本体１０の開口部１１に挿入され、垂下部２２が棚部１３に当接した状態を示している。切欠き部２４は、ネジ４０が通る大きさの平面視において矩形に形成されている。切欠き部２４は、ネジ４０が通る大きさであれば、矩形に限らず円形等であってもよい。
【００２０】
図４（ａ）及び図４（ｂ）は、図３に示した状態から、爪部２３が溝１４０に嵌合され、ネジ４０が切欠き部２４を通してネジ取付穴１５に螺合された状態を示している。この状態で、蓋体２０を開放する方向に回転したとき、切欠き部２４の切込み２４０とは反対側の端部２４１がネジ頭４１に当たり、爪部２３の溝１４への嵌合が維持される。
【００２１】
図５（ａ）及び図５（ｂ）は、図４に示した状態から、蓋体２０を爪部２３が溝１４に嵌合する方向にさらに回転したときを示している。この状態で、切欠き部２４の切込み２４０がネジ４０のネジ頭４１を通過することにより蓋体２０の天板部２１がネジ４０を覆い隠す。
【００２２】
実施形態によれば、蓋体２０の天板部２１がネジ４０を覆い隠すので、部品の追加なしで見栄えの低下を抑えた蓋体の取付構造を提供できる。また、部品の追加がないのでコストを低減できる。
【００２３】
実施形態によれば、ネジ４０が露出していないので蓋体２０が取り付けられていることがわからず、故意に取り外す等の悪戯防止になる。また、悪戯防止用に特殊なネジを使用する必要がないので汎用のネジを使用でき、コストを低減できる。
【００２４】
実施形態によれば、切欠き部２４の切込み２４０とは反対側の端部２４１がネジ頭４１に当たり爪部２３が溝１４から外れる動きが阻害され、爪部２３の溝１４への嵌合が維持されるので、外されにくい蓋体の取付構造を提供できる。
【００２５】
切欠き部２４及びネジ取付穴１５は、それぞれ１か所設けられているので、切欠き部２４をネジ取付穴１５の位置に位置決めする必要がある。したがって、４つの爪部２３及び４つの溝１４０の大きさを、切欠き部２４をネジ取付穴１５の位置に位置決めするのに適合した大きさにするのがよい。
【００２６】
例えば、４つの爪部２３及び４つの溝１４０の大きさを、それぞれ異なる大きさにして切欠き部２４がネジ取付穴１５の位置に来たときにそれぞれの爪部２３が対応する溝１４０に挿入できる構成にする。
【００２７】
また、ネジ取付穴１５が、切欠き部２４を溝１４のいずれの位置の近傍に来てもネジ取付穴１５の位置に位置決め可能なように、４つ設けられていてもよい。
【００２８】
また、爪部２３の溝１４に入る側及び溝１４の爪部２３が入る側の少なくとも一方にテーパが形成されていてもよい。テーパを形成することにより、爪部２３が溝１４に入りやすくなる。
【００２９】
また、爪部２３と溝１４は、それぞれが対応する位置に形成されていれば、等間隔で形成されていなくてもよい。また、爪部２３と溝１４は、４つに限らず、複数であればいくつ形成されていてもよい。
【００３０】
本考案は、警報器に限らず、照明器具等の電子機器の筐体の蓋体の取付構造に適用可能である。
【符号の説明】
【００３１】
１…警報器
１０…容器本体
１１…開口部
１２…壁部
１３…棚部
１４、１４０…溝
１５…ネジ取付穴
２０…蓋体
２１…天板部
２２…垂下部
２３…爪部
２４…切欠き部
３０…発光素子
４０…ネジ
４１…ネジ頭
２４０…切込み
２４１…反対側の端部
【図１】
0003189037.tif 000003
【図２】
0003189037.tif 000004
【図３】
0003189037.tif 000005
【図４】
0003189037.tif 000006
【図５】
0003189037.tif 000007